(57)【特許請求の範囲】
【請求項１】
レンズを保持し光軸方向に移動自在に支持されるレンズ筒と、前記レンズ筒に一体的に組み込まれて光路の開閉又は絞りを行う光量調整ユニットを備え、
前記レンズ筒は、光軸方向に駆動される被駆動部，光軸方向にガイドされる被ガイド部，前記被駆動部及び被ガイド部を避ける領域において光軸方向に対して垂直な方向に貫通するように形成されたスリット部を有する外側レンズ筒と、レンズを保持して前記外側レンズ筒の内側において光軸方向に挿脱自在に嵌合されると共に光軸方向に対して垂直な方向に貫通するように形成された第２のスリット部を有する内側レンズ筒を含み、
前記光量調整ユニットは、前記外側レンズ筒のスリット部に密接した状態で挿入されると共に前記内側レンズ筒の第２のスリット部に所定の遊びをもって挿入され、前記レンズ筒に対して着脱自在に固定されている、
ことを特徴とするレンズ鏡筒。
【請求項２】
前記光量調整ユニットは、前記外側レンズ筒のスリット部に密接に嵌合されて光軸方向の位置決めを行う嵌合部と、前記外側レンズ筒の一部に当接して光軸方向に垂直な方向の位置決めを行う当接部と、前記外側レンズ筒の外周に形成された突起に対してスナップフィット結合される結合部と、を含む、
ことを特徴とする請求項１記載のレンズ鏡筒。
【請求項３】
前記結合部は、前記突起に対してネジにより締結されている、
ことを特徴とする請求項２記載のレンズ鏡筒。
【請求項４】
レンズを保持し光軸方向に移動自在に支持されるレンズ筒と、前記レンズ筒に一体的に組み込まれて光路の開閉又は絞りを行う光量調整ユニットを備え、光路用の開口部を画定するケース内に前記レンズ筒を光軸方向にガイドされて駆動されるように組み立てるレンズ鏡筒の組立方法であって、
前記レンズ筒を外側レンズ筒と内側レンズ筒により形成し、前記外側レンズ筒の内側に対して、レンズを保持した前記内側レンズ筒を光軸方向から挿脱自在に嵌合する嵌合工程と、
前記嵌合工程の後に、前記光量調整ユニットを、光軸方向に対して垂直な方向に貫通するように前記外側レンズ筒に形成されたスリット部に密接した状態で挿入すると共に前記内側レンズ筒に形成された第２のスリット部に所定の遊びをもって挿入して前記レンズ筒に対して着脱自在に固定して装着する装着工程と、
前記装着工程の後に、前記内側レンズ筒を前記外側レンズ筒に対して相対的に移動させてレンズの調芯を行う調芯工程と、
前記調芯工程の後に、前記光量調整ユニットが装着された前記レンズ筒を、光軸方向にガイドされて駆動されるように前記ケース内に収容する収容工程と、
を含む、ことを特徴とするレンズ鏡筒の組立方法。
【発明の詳細な説明】
【技術分野】
【０００１】
本発明は、光軸方向に駆動されるレンズ及びシャッタ機構又は絞り機構を一体的に備えるレンズ鏡筒及びその組立方法に関し、特に、携帯電話機、携帯型パーソナルコンピュータ、携帯型音楽プレーヤ等のカメラユニットに適用されるレンズ鏡筒及びその組立方法に関する。
【背景技術】
【０００２】
従来のレンズ鏡筒としては、光路用の開口部を画定し光軸方向に３つのレンズを配列して保持する円筒状の筒部、筒部の外周面に形成された溝状の窓部及び凹状の係合部、別個に形成されたシャッタ装置等を備え、シャッタ装置を窓部から挿入して筒部に嵌め込んだ後に、シャッタ装置に形成されたレンズ嵌合部に対して一つのレンズの凸状部（レンズ部）を嵌合させることにより、シャッタ装置が筒部から抜け落ちないように固定したものが知られている。
【０００３】
しかしながら、このレンズ鏡筒においては、レンズの一部を嵌合させることにより、シャッタ装置が筒部から離脱しないように固定しているため、組み付け後において複数の配列されたレンズ同士の光軸合わせ（芯出し）を行うことが困難である。
また、一度組み込まれた後に、シャッタ装置を取り外そうとすると、嵌合しているレンズを取り外す必要があり、結果的に全ての部品を分解しなければならず、部品の組み替えを容易に行うことができない。
さらに、このレンズ鏡筒においては、シャッタ装置は単に筒部に一体的に組み込まれるだけであり、筒部が光軸方向に駆動されるものではないため、シャッタ装置も所定位置に固定されることを前提に設計すればよく、光軸方向への駆動に対する干渉あるいは振動等の対策を講じる必要はない。
【０００４】
【特許文献１】特開２００６−４７３６４号公報
【発明の開示】
【発明が解決しようとする課題】
【０００５】
本発明は、上記の事情に鑑みて成されたものであり、その目的とするところは、構造の簡素化、部品点数の削減、小型化、組立作業及び分解作業の容易化、分解した後の部品の再利用化等を図りつつ、レンズと一体的に駆動されるシャッタ又は絞り機構等の光量調整ユニットを備えたレンズ鏡筒及びその組立方法を提供することにある。
【課題を解決するための手段】
【０００６】
本発明のレンズ鏡筒は、レンズを保持し光軸方向に移動自在に支持されるレンズ筒と、レンズ筒に一体的に組み込まれて光路の開閉又は絞りを行う光量調整ユニットを備え、上記レンズ筒は、光軸方向に駆動される被駆動部，光軸方向にガイドされる被ガイド部，被駆動部及び被ガイド部を避ける領域において光軸方向に対して垂直な方向に貫通するように形成されたスリット部を有する外側レンズ筒と、レンズを保持して外側レンズ筒の内側において光軸方向に挿脱自在に嵌合されると共に光軸方向に対して垂直な方向に貫通するように形成された第２のスリット部を有する内側レンズ筒を含み、上記光量調整ユニットは、外側レンズ筒のスリット部に密接した状態で挿入されると共に内側レンズ筒の第２のスリット部に所定の遊びをもって挿入され、レンズ筒に対して着脱自在に固定されている、ことを特徴としている。
この構成によれば、光量調整ユニットがレンズ筒に組み込まれると、レンズ筒は、光量調整ユニットと一緒になって、光軸方向にガイドされて駆動される。
ここで、光量調整ユニットは、レンズ筒に対して着脱自在に固定されているため、レンズ等他の部品を破損することなく、光量調整ユニットそのものをレンズ筒から取り外すことができる。したがって、レンズ筒を組立てた後に、光量調整ユニットに不具合があった場合には他の部品を破損させることなく別の光量調整ユニットに交換することができ、又、レンズに不具合があった場合には、レンズ筒を分解した後に光量調整ユニットを再利用することができる。
特に、レンズを保持する内側レンズ筒を外側レンズ筒に嵌合し、光量調整ユニットを外側レンズ筒のスリット部に密接させつつ内側レンズ筒の第２のスリット部に所定の遊びをもって挿入することにより、内側レンズ筒に保持されるレンズの調芯作業、及びレンズと光量調整ユニットの位置合わせ作業を容易に行うことができ、その後、光量調整ユニットをレンズ筒に対して固定することができる。
【０００７】
上記構成のレンズ鏡筒において、光量調整ユニットは、外側レンズ筒のスリット部に密接に嵌合されて光軸方向の位置決めを行う嵌合部と、外側レンズ筒の一部に当接して光軸方向に垂直な方向の位置決めを行う当接部と、外側レンズ筒の外周に形成された突起に対してスナップフィット結合される結合部と、を含む、構成を採用することができる。
この構成によれば、光量調整ユニットを、光軸方向に垂直な方向から外側レンズ筒のスリット部に挿入すると、嵌合部がスリット部に密接に嵌合して光軸方向の位置決めがなされ、又、当接部が外側レンズ筒の一部に当接して光軸方向に垂直な方向の位置決めがなされ、さらに、結合部が外側レンズ筒の突起にスナップフィット結合される。すなわち、簡単な挿入作業により、光量調整ユニットをレンズ筒（外側レンズ筒）に対して高精度に位置決めしつつ堅固に固定することができる。
また、光量調整ユニットは、嵌合部、当接部、結合部等を介してレンズ筒に着脱自在に固定されるため、専用の組付け部品等が不要になり、構造の簡素化、部品点数の削減、小型化等を達成することができる。
【０００８】
上記構成のレンズ鏡筒において、結合部は、突起に対してネジにより締結されている、構成を採用することができる。
この構成によれば、結合部と突起がネジにより締結されるため、光量調整ユニットはレンズ筒に対してより堅固に固定されることになり、耐衝撃性が高まる。
【００１０】
また、本発明のレンズ鏡筒の組立方法は、レンズを保持し光軸方向に移動自在に支持されるレンズ筒と、レンズ筒に一体的に組み込まれて光路の開閉又は絞りを行う光量調整ユニットを備え、光路用の開口部を画定するケース内にレンズ筒を光軸方向にガイドされて駆動されるように組み立てるレンズ鏡筒の組立方法であって、上記レンズ筒を外側レンズ筒と内側レンズ筒により形成し、外側レンズ筒の内側に対して、レンズを保持した内側レンズ筒を光軸方向から挿脱自在に嵌合する嵌合工程と、この嵌合工程の後に、上記光量調整ユニットを、光軸方向に対して垂直な方向に貫通するように外側レンズ筒に形成されたスリット部に密接した状態で挿入すると共に内側レンズ筒に形成された第２のスリット部に所定の遊びをもって挿入してレンズ筒に対して着脱自在に固定して装着する装着工程と、この装着工程の後に、内側レンズ筒を外側レンズ筒に対して相対的に移動させてレンズの調芯を行う調芯工程と、この調芯工程の後に、光量調整ユニットが装着されたレンズ筒を、光軸方向にガイドされて駆動されるようにケース内に収容する収容工程と、を含む、ことを特徴としている。
この構成によれば、光量調整ユニットをレンズ筒に組み込んで装着した後に、そのレンズ筒をケースに対して、光軸方向にガイドされて駆動されるように（例えば、ケース内に配置されるガイド機構及び駆動機構に係合又は連結させるようにして）収容することにより、全体の組み立てを容易に行うことができる。
また、光量調整ユニットは、レンズ筒に対して着脱自在に固定されているため、レンズ等他の部品を破損することなく、光量調整ユニットそのものをレンズ筒から取り外すことができ、レンズ筒を組立てた後に、光量調整ユニットに不具合があった場合には他の部品を破損させることなく別の光量調整ユニットに交換することができ、レンズに不具合があった場合には、レンズ筒を分解した後に光量調整ユニットを再利用することができる。
特に、レンズを保持する内側レンズ筒を外側レンズ筒に嵌合し、光量調整ユニットを外側レンズ筒のスリット部に密接させつつ内側レンズ筒の第２のスリット部に所定の遊びをもって挿入することにより、内側レンズ筒に保持されるレンズの調芯作業、及びレンズと光量調整ユニットの位置合わせ作業を容易に行うことができ、その後、光量調整ユニットをレンズ筒に対して固定することができる。
【発明の効果】
【００１２】
上記構成をなすレンズ鏡筒及びその組立方法によれば、構造の簡素化、部品点数の削減、小型化、分解した後の部品の再利用化等を達成しつつ、レンズと一体的に駆動されるシャッタ又は絞り機構等の光量調整ユニットを備えたレンズ鏡筒を提供することができ、又、部品の破損等を招くことなく、組立作業及び分解作業を容易に行うことができる。
【発明を実施するための最良の形態】
【００１３】
以下、本発明の最良の実施形態について、添付図面を参照しつつ説明する。
図１ないし図６は、本発明に係るレンズ鏡筒の一実施形態を示すものであり、図１及び図２はレンズ鏡筒を含むカメラユニットの分解斜視図、図３はカメラユニットの内部を示す平面図、図４はカメラユニットの内部を示す断面図、図５はレンズ鏡筒を構成するレンズ筒と光量調整ユニットの平面図、図６はレンズ鏡筒を構成するレンズ筒と光量調整ユニットの断面図である。
【００１４】
このカメラユニットは、図１ないし図４に示すように、ケースとしてのベース１０及びフロントカバー２０、ケース内に収容されるレンズ筒３０、レンズ筒３０に一体的に組み込まれる光量調整ユニット４０、レンズ筒３０を光軸方向Ｌにガイドするガイド機構の一部を構成するガイドシャフト５０、レンズ筒３０を光軸方向Ｌに駆動する駆動機構６０、ケースの背面に取り付けられたガラスフィルタ７０、ガラスフィルタ７０の後方に配置されたＣＣＤあるいはＣＭＯＳ等の撮像素子８０、撮像素子８０を保持する基板９０、センサ１００等を備えている。
【００１５】
ベース１０は、樹脂材料等を用いて、図１ないし図４に示すように、底部１１及び側壁部１２を有し前方に開口した箱状に形成されている。そして、ベース１０は、底部１１に形成された開口部１１ａ、基板９０を接合する接合部１１ｂ、後述する駆動機構６０のモータ６１を固定する固定壁部１３、光軸方向Ｌに伸長して形成されたガイド機構としてのガイド溝１２ａ、フロントカバー２０を接合するためのネジ穴１２ｂ，掛止片１２ｃ，位置決めピン１４等を備えている。
【００１６】
フロントカバー２０は、樹脂材料等を用いて、図１、図２、図４に示すように、略矩形の扁平な形状に形成されている。そして、フロントカバー２０は、円形をなす光路用の開口部２１、ベース１０に結合するためのネジＢを通して締結する締結部２２、掛止片１２ｃを掛止する凹部２３、位置決めピン１４を嵌合させる嵌合溝２４、ガイドシャフト５０の端部を嵌合する嵌合孔２５、センサ１００を固定するセンサ固定片２６、後述する駆動機構６０のリードスクリュー６４の端部を嵌合する嵌合穴（不図示）等を備えている。
【００１７】
レンズ筒３０は、樹脂材料等を用いて、図１ないし図６に示すように、光軸方向Ｌに軸心をもち略円筒状に形成された外側レンズ筒３１、光軸方向Ｌに軸心をもち略円筒状にかつ外側レンズ筒３１内に嵌合されるように形成された内側レンズ筒３２、内側レンズ筒３２の前方に固定される口径板３３等により形成されている。
【００１８】
外側レンズ筒３１は、図１ないし図６に示すように、その外周面から突出して形成され後述する駆動機構６０のナット６５を保持する被駆動部としてのナット保持部３１ａ、ナット保持部３１ａの近傍において同様に突出して形成されガイドシャフト５０を摺動自在に嵌合させる被ガイド部としての外嵌部３１ｂ、外嵌部３１ｂと反対側の外周面から突出して形成されベース１０のガイド溝１２ａに摺動自在に嵌合される被ガイド部としての突起部３１ｃ、ナット保持部３１ａ，外嵌部３１ｂ，及び突起部３１ｃを避ける領域において光軸方向Ｌに対して垂直な方向に貫通するように形成された２つのスリット部３１ｄ、光量調整ユニット４０をスナップフィット結合するための２つの突起３１ｅ、突起３１ｅの近傍において光軸方向Ｌに対して垂直な方向に面を画定する２つのストッパ３１ｆ、センサ１００に検出される被検出片３１ｇ、内側レンズ筒３２を回動不能に嵌合する凹部３１ｈ´を画定する内壁面３１ｈ、内側レンズ筒３２を挿入して当接させることにより光軸方向Ｌの所定位置に位置決めする環状の当接フランジ３１ｉ等を備えている。
また、外側レンズ筒３１は、図４及び図６に示すように、当接フランジ３１ｉの背後において、レンズＧ１を挿入して当接させた状態で保持している。
【００１９】
スリット部３１ｄは、光量調整ユニット４０が光軸方向Ｌに垂直な方向から挿入されるのを許容すると共に、光量調整ユニット４０の後述する嵌合部４２を密接に嵌合させることにより、光量調整ユニット４０を光軸方向Ｌにおいて所定位置に位置決めするようになっている。
ストッパ３１ｆは、光量調整ユニット４０の後述する当接部４５を当接させることにより、光量調整ユニット４０を光軸方向Ｌに垂直な方向において所定位置に位置決めするようになっている。
突起３１ｅは、光量調整ユニット４０の後述する結合部４４をスナップフィット結合させると共にネジＢにより締結させることにより、外側レンズ筒３１に対して光量調整ユニット４０を堅固に固定するようになっている。
【００２０】
内側レンズ筒３２は、図１ないし図６に示すように、その外周面から突出して外側レンズ筒３１の内壁面３１ｈに形成された凹部３１ｈ´に嵌め込まれる弧状突部３２ａ、レンズＧ２を受け入れて保持する保持部３２ｂ、レンズＧ３を受け入れて保持する保持部３２ｃ、光軸方向Ｌに対して垂直な方向に貫通するように形成された（第２のスリット部としての）２つのスリット部３２ｄ等を備えている。
【００２１】
スリット部３２ｄは、光量調整ユニット４０が光軸方向Ｌに垂直な方向から遊びをもって挿入されるのを許容するように、光量調整ユニット４０よりも若干光軸方向Ｌに幅広に形成されている。これにより、光量調整ユニット４０が装着された後において、内側レンズ筒３２を外側レンズ筒３１に対して微調整することができる。
尚、内側レンズ筒３２を外側レンズ筒３１に対して微調整する必要がなければ、スリット部３２ｄは、スリット部３１ｄと同様に、光量調整ユニット４０を光軸方向Ｌにおいて所定位置に位置決めするように密接に嵌合させるように形成されていてもよい。
弧状突部３２ａは、内側レンズ筒３２が外側レンズ筒３１に挿入された状態で、光軸周りに回転するのを規制して位置決めするものである。
【００２２】
保持部３２ｂは、前方から挿入されたレンズＧ２を当接させた状態で光軸方向Ｌの所定位置に保持するように形成されている。
保持部３２ｃは、前方から挿入されたレンズＧ２が後方にある保持部３２ｂまで挿入可能なように形成され、又、前方から挿入されたレンズＧ３を当接させた状態で光軸方向Ｌの所定位置に保持するように形成されている。
【００２３】
すなわち、内側レンズ筒３２には、予めレンズＧ２及びレンズＧ３が組み込まれ、その後、レンズＧ２，Ｇ３を保持した内側レンズ筒３２が、外側レンズ筒３１に対して、光軸方向Ｌの前方から挿入され当接フランジ３１ｉに当接して位置決めされることにより、内側レンズ筒３２が外側レンズ筒３１に一体的に組み込まれるようになっている。
また、内側レンズ筒３２には、レンズＧ３の前方において、所定の口径をなす口径板３３が取り付けられるようになっている。
【００２４】
光量調整ユニット４０は、図１ないし図６に示すように、光軸方向Ｌに垂直な方向に略扁平に形成されてレンズ筒３０に挿入されると共に所定の口径をなす開口部４１ａを画定する挿入部４１、挿入部４１の一部においてより厚肉に形成されてスリット部３１ｄに密接に嵌合する嵌合部４２、挿入部４１に一体的に形成されて種々の駆動機構等が収容された収容部４３、収容部４３から突出して形成された２つの結合部４４、挿入部４１と収容部４３の結合領域に形成された２つの当接部４５、収容部４３に一端が接続されて弾性変形可能に形成された配線プレート４６等を備えている。
【００２５】
挿入部４１及び収容部４３には、開口部４１ａを開閉するシャッタ羽根（不図示）及び開口部４１ａを所定の口径に絞る絞り羽根（不図示）、シャッタ羽根及び絞り羽根を開閉駆動する電磁アクチュエータ及びリンク機構等の駆動機構（不図示）が収容されている。
嵌合部４２は、光量調整ユニット４０（の挿入部４１）がスリット部３１ｄ（及び３２ｄ）に挿入された状態で、スリット部３１ｄに密接に嵌合して、光量調整ユニット４０を光軸方向Ｌの所定位置に位置決めするものである。
結合部４４は、外側レンズ筒３１の突起３１ｅに対してスナップフィット結合されると共にネジＢにより締結されて、光量調整ユニット４０をレンズ筒３０に対して位置決めしつつ堅固に固定するようになっている。
当接部４５は、光量調整ユニット４０が光軸方向Ｌに垂直な方向からスリット部３１ｄ，３２ｄ内に挿入される際に、外側レンズ筒３１のストッパ３１ｆに当接して、光軸方向にＬに垂直な方向の所定に位置に位置決めするものである。
配線プレート４６は、レンズ筒３０に一体的に組み込まれた光量調整ユニット４０の駆動機構を駆動制御するための信号及び電力を供給するものであり、レンズ筒３０が光軸方向Ｌに移動する際に追従するように弾性変形可能となっている。
【００２６】
すなわち、光量調整ユニット４０は、レンズ筒３０のスリット部３１ｄに挿入されて嵌合部４２がスリット部３１ｄに密接に嵌合することで光軸方向Ｌの位置決めがなされ、当接部４５がストッパ３１ｆに当接することで光軸方向Ｌに垂直な方向の位置決めがなされ、結合部４４が突起３１ｅにスナップフィット結合されことで、レンズ筒３０に対して、所定の位置に高精度に位置決めされつつ堅固に固定される。したがって、組付けを簡単な挿入作業により行うことができ、逆の作業を施すことにより、光量調整ユニット４０をレンズ筒３０から容易に取り外すことができる。
また、結合部４４は突起３１ｅに対してネジＢにより締結されるため、光量調整ユニット４０はレンズ筒３０に対してより堅固に固定されることになり、耐衝撃性が高まる。
【００２７】
このように、光量調整ユニット４０は、スリット部３１ｄに密接に嵌合される嵌合部４２、ストッパ３１ｆに当接する当接部４５、突起３１ｅに対してスナップフィット結合されると共にネジＢにより締結される結合部４４等を介して、レンズ筒３０に対して着脱自在に固定されるため、専用の組付け部品等が不要になり、構造の簡素化、部品点数の削減、小型化等を達成することができる。
【００２８】
ここでは、レンズＧ２，Ｇ３を保持する内側レンズ筒３２を外側レンズ筒３１に挿入した後に、光量調整ユニット４０をスリット部３１ｄ，３２ｄに挿入することにより、光量調整ユニット４０をレンズ筒３０に対して固定することができる。すなわち、内側レンズ筒３２を採用したことにより、内側レンズ筒３２に保持されるレンズＧ２，Ｇ３と外側レンズ筒３１に保持されるレンズＧ１との調芯作業、及びレンズＧ１，Ｇ２，Ｇ３と光量調整ユニット４０の位置合わせ作業を容易に行うことができる。
【００２９】
ガイドシャフト５０は、剛性の高い材料例えば金属材料を用いて、図１、図２、図３、図５に示すように、円形断面をなし光軸方向Ｌに伸長するようにベース１０にその一端が植設され、レンズ筒３０の外嵌部３１ｂに摺動自在に挿入されて、その他端がフロントカバー２０の嵌合孔２５に嵌合されるようになっている。
【００３０】
駆動機構６０は、図１ないし図５に示すように、ベース１０に固定されたステッピングモータ６１、ステッピングータ６１に直結されたウォーム６２、ウォーム６２に螺合するウォームホイール６３、ウォームホイール６３と同軸にて一体的に回転するべく光軸方向Ｌに伸長するリードスクリュー６４、外側レンズ筒３１のナット保持部３１ａに回動不能に保持されてリードスクリュー６４に螺合されたナット６５、ガイドシャフト５０の周りに配置されてレンズ筒３０を光軸方向Ｌの前方に向けて付勢するコイルスプリング６６、ケースの外側に延出されて弾性変形可能に形成された配線プレート６７等を備えている。
コイルスプリング６６は、ナット６５とレンズ筒３０（ナット保持部３１ａ）を光軸方向Ｌにおいて密接させると共に、ナット６５をリードスクリュー６４に対してガタ寄せするようになっている。
すなわち、ステッピングモータ６１が回転すると、ウォーム６２及びウォームホイール６３を介して、リードスクリュー６４が回転し、ナット６５が光軸方向Ｌに移動することにより、レンズ筒３０及び光量調整ユニット４０が光軸方向Ｌに駆動されるようになっている。
【００３１】
センサ１００は、フロントカバー２０のセンサ固定片２６に固定されており、投光素子及び受光素子をもつ透過型の光センサである。そして、レンズ筒３０の被検出片３１ｇが検出光を遮るか否かにより、レンズ筒３０の初期位置を検出するようになっている。
【００３２】
次に、このレンズ鏡筒を含むカメラユニットの組立方法について説明する。
先ず、外側レンズ筒３１に対してレンズＧ１を装着する。続いて、内側レンズ筒３２に対してレンズＧ２及びレンズＧ３を装着する。
続いて、内側レンズ筒３２を外側レンズ筒３１に挿入して緩く嵌合する（嵌合工程）。
【００３３】
続いて、光量調整ユニット４０の挿入部４１を、図５及び図６に示すように、光軸方向Ｌに垂直な方向から近づけて、スリット３１ｄ，３２ｄに挿入する。そして、嵌合部４２をスリット部３１ｄに密接に嵌合させると共に、当接部４５をストッパ３１ｆに当接させ、結合部４４を突起３１ｅにスナップフィット結合すると共にネジＢにより両者を締結して装着する（装着工程）。
すなわち、光量調整ユニット４０は、レンズ筒３０に対して、光軸方向Ｌの所定位置に位置決めされ、又、光軸方向Ｌに垂直な方向の所定位置に位置決めされ、さらに、スナップフィット結合及びネジ締結により堅固に固定される。
このように、光量調整ユニット４０は、簡単な挿入作業により、レンズ筒３０に対して高精度に位置決めされると共に堅固に固定される。
【００３４】
続いて、レンズＧ２，Ｇ３の光軸をレンズＧ１の光軸に一致させるように調芯作業を行う（調芯工程）。この調芯作業においては、レンズＧ２，Ｇ３が内側レンズ筒３２に対して固定されているため、外側レンズ筒３１と内側レンズ筒３２の間に設けられた隙間の範囲で微調整した後、両者を接着剤等で固着するので、容易に光軸を一致させることができる。また、光量調整ユニット４０をレンズ筒３０（外側レンズ筒３１及び内側レンズ筒３２）に挿入して固定した後に、レンズＧ２，Ｇ３の調芯作業を行うため、高精度かつ容易にレンズＧ１とレンズＧ２，Ｇ３の光軸を一致させることができる。
尚、調芯作業は、ここではレンズＧ１を基準にして行う場合を示したが、所定の位置を基準として、レンズＧ１（又はレンズＧ２，Ｇ３）を調整してもよい。また、調芯作業に加えて、光量調整ユニット４０に対するレンズＧ２，Ｇ３（又はレンズＧ１）の相対的な位置関係を調整してもよい。これらの場合、レンズＧ１の調芯作業は、例えば、外側レンズ筒３１の内壁とレンズＧ１の間に隙間を設けて、その範囲で微調整し、その後接着剤等で固着する。
【００３５】
ここでは、光量調整ユニット４０は、レンズ筒３０に対して着脱自在に固定されているため、レンズＧ１，Ｇ２，Ｇ３等他の部品を破損することなく、光量調整ユニット４０そのものをレンズ筒３０から取り外すことができる。したがって、レンズ筒３０を組立てた後に、光量調整ユニット４０に不具合があった場合には他の部品を破損させることなく別の光量調整ユニット４０に交換することができ、又、レンズＧ１，Ｇ２，Ｇ３に不具合があった場合には、レンズ筒３０を分解した後に光量調整ユニット４０を再利用することができる。
【００３６】
続いて、光量調整ユニット４０が組み込まれかつ調芯作業を終えたレンズ筒３０を、ベース１０内に収容する（収容工程）。この収容作業においては、レンズ筒３０の外嵌部３１ｂをガイドシャフト５０に摺動自在に外嵌させ、又、レンズ筒３０の突起部３１ｃを側壁部１２のガイド溝１２ａに摺動自在に嵌合させると共に、コイルスプリング６６を圧縮しつつ、レンズ筒３０を押し込む。また、ステッピングモータ６１を起動させてリードスクリュー６４を回転させつつ、ナット保持部３１ａに保持されたナット６５をリードスクリュー６４に螺合させて、図３に示すように組み込む。さらに、配線プレート４６を適宜接続して組み込む（不図示）。
続いて、フロントカバー２０をベース１０に接合して、ネジＢ等を用いて堅固に固定し締結する（図４参照）。
【００３７】
さらに、ベース１０の底部１１に対して、ガラスフィルタ７０及び撮像素子８０を保持した基板９０を接合し固定する。これにより、本発明のレンズ鏡筒を備えたカメラユニットが完成する（図４参照）。
【００３８】
上記のレンズ鏡筒及び組立方法によれば、構造の簡素化、部品点数の削減、小型化、分解した後の部品の再利用化等を達成しつつ、光量調整ユニット４０をレンズＧ１，Ｇ２，Ｇ３と一体的に駆動させるべくレンズ筒３０に対して着脱自在に固定するようにしたことにより、部品の破損等を招くことなく、組立作業あるいは分解作業を容易に行うことができる。
【００３９】
上記実施形態においては、内側レンズ筒３２に２つのレンズＧ２，Ｇ３を保持し、外側レンズ筒３１に一つのレンズＧ１を保持する場合を示したが、これに限定されるものではなく、それ以外の個数のレンズを保持する構成において、光量調整ユニット４０を着脱自在に固定するようにしてもよい。
上記実施形態においては、駆動機構６０として、ステッピングモータ６１，ウォーム６２、ウォームホイール６３、リードスクリュー６４、ナット６５等を含む構成を示したが、これに限定されるものではなく、その他の駆動機構を採用してもよい。
【産業上の利用可能性】
【００４０】
以上述べたように、本発明レンズ鏡筒及びその組立方法は、構造の簡素化、部品点数の削減、小型化、分解した後の部品の再利用化等を達成しつつ、レンズと一体的に駆動されるシャッタ又は絞り機構等の光量調整ユニットを備えたレンズ鏡筒を提供するため、特に携帯電話機、携帯型パーソナルコンピュータ、携帯型音楽プレーヤ等に搭載されるカメラユニットに適用できるのは勿論のこと、小型化が要求されない通常のデジタルカメラ等にも有用である。
【図面の簡単な説明】
【００４１】
【図１】本発明に係るレンズ鏡筒を備えたカメラユニットの一実施形態を示す分解斜視図である。
【図２】本発明に係るレンズ鏡筒を備えたカメラユニットの一実施形態を示す分解斜視図である。
【図３】フロントカバーを外した状態でのカメラユニットの内部を示す平面図である。
【図４】組立が完成したカメラユニットの断面図である。
【図５】レンズ筒と光量調整ユニットを示す平面図である。
【図６】レンズ筒と光量調整ユニットを示す断面図である。
【符号の説明】
【００４２】
１０  ベース（ケース）
１１  底部
１１ａ  開口部
１２  側壁部
１２ａ  ガイド溝（ガイド機構）
２０  フロントカバー（ケース）
２１  開口部
３０  レンズ筒
３１  外側レンズ筒
３１ａ  ナット保持部（被駆動部）
３１ｂ  外嵌部（被ガイド部）
３１ｃ  突起部（被ガイド部）
３１ｄ  スリット部
３１ｅ  突起
３１ｆ  ストッパ
３１ｇ  被検出片
３１ｈ  内壁面
３１ｈ´  凹部
３１ｉ  当接フランジ
３２  内側レンズ筒
３２ａ  弧状突部
３２ｂ，３２ｃ  保持部
３２ｄ  第２のスリット部
３３  口径板
４０  光量調整ユニット
４１  挿入部
４１ａ  開口部
４２  嵌合部
４３  収容部
４４  結合部
４５  当接部
４６  配線プレート
５０  ガイドシャフト（ガイド機構）
６０  駆動機構
６１  ステッピングモータ
６２  ウォーム
６３  ウォームホイール
６４  リードスクリュー
６５  ナット
６６  コイルスプリング
６７  配線プレート
７０  ガラスフィルタ
８０  撮像素子
９０  基板
１００  センサ
Ｂ  ネジ
Ｌ  光軸方向
Ｇ１，Ｇ２，Ｇ３  レンズ
【図１】
0004812493.tif 000002
【図２】
0004812493.tif 000003
【図３】
0004812493.tif 000004
【図４】
0004812493.tif 000005
【図５】
0004812493.tif 000006
【図６】
0004812493.tif 000007